(57)【要約】【課題】  演奏者の邪魔にならず、スピーカの共鳴空間を確保し、十分な音質および音量が得られ、スピーカの指向性をも確保できる。【解決手段】  スピーカ７を内蔵したスピーカケース６の一部を楽器本体１の取付孔１０に挿入させて取り付けると、スピーカケース６の外周面のスピーカ電極部８と取付孔１０の内周面の本体側電極部１１とが電気的に接続されるので、楽器本体１の鍵盤部４で得られた楽音信号をスピーカ７に伝えて楽音を発生させることができる。この場合、スピーカケース６が上下方向に長尺に形成されているので、スピーカ７の共鳴空間を十分に確保でき、音質および音量を高めることができる。また、スピーカケース６の一部を楽器本体１の取付孔１０に取り付ける際に、スピーカ７を楽器本体１の上方に位置させると、スピーカユニット２が演奏者の邪魔にならず、スピーカ７を演奏者に向け易く、演奏者に対するスピーカ７の指向性をも確保できる。【選択図】        図３
2005123848.tif 000002
【特許請求の範囲】
【請求項１】
楽音信号を発生する楽音発生手段を有する装置本体と、この装置本体の前記楽音発生手段によって発生された楽音信号に基づいて楽音を発生するためのスピーカユニットとを備えた楽音発生装置において、
前記スピーカユニットは、上下方向に長尺に形成された中空状のスピーカケースと、このスピーカケース内に配置されたスピーカと、このスピーカに対応する個所を除く前記スピーカケースの外周面に設けられて前記スピーカと電気的に接続されたスピーカ電極部とからなり、
前記装置本体には、前記スピーカ電極部が設けられた個所に対応する前記スピーカケースの一部が挿入して取り付けられる取付孔が前記装置本体の上下に貫通して設けられ、この取付孔の内周面には、前記楽音発生手段で発生された楽音信号を伝達するための本体側電極部が前記スピーカユニットの前記スピーカ電極部と電気的に接続可能に設けられていることを特徴とする楽音発生装置。
【請求項２】
前記スピーカケースは、その横断面形状を円形状に形成した形状であることを特徴する請求項１に記載の楽音発生装置。
【請求項３】
前記スピーカケースの前記一部が前記装置本体の前記取付孔に挿入されて前記スピーカユニットの前記スピーカ電極部と前記装置本体の前記本体側電極部とが電気的に接続されたときに、前記スピーカケースを前記装置本体に対し係脱可能に係止するロック部材を備えていることを特徴する請求項１または２に記載の楽音発生装置。
【請求項４】
前記スピーカユニットの前記スピーカ電極部は、前記スピーカケースの外周面に環状に設けられていることを特徴する請求項１〜３のいずれかに記載の楽音発生装置。
【請求項５】
前記スピーカケースの外周面には、前記ロック部材によって係脱可能に係止される複数の係止部が前記スピーカの長手方向に沿って所定間隔で設けられ、
前記スピーカケースの外周面には、前記スピーカ電極部が前記スピーカの長手方向に沿って所定間隔で複数設けられていることを特徴する請求項３または４に記載の楽音発生装置。
【請求項６】
前記スピーカユニットは、前記スピーカケースの前記一部を前記装置本体の前記取付孔に挿入して前記装置本体の下方に延出させた状態で取り付けることにより、前記スピーカケースが前記装置本体の脚部を兼ねていることを特徴する請求項１に記載の楽音発生装置。
【発明の詳細な説明】
【技術分野】
【０００１】
この発明は、電子鍵盤楽器などの楽音発生装置に関する。
【背景技術】
【０００２】
従来、電子鍵盤楽器においては、鍵盤部を有する楽器本体と、この楽器本体を支持するスタンドとを備え、このスタンドにスピーカを設けた構造のものがある。
このような電子鍵盤楽器では、スタンドが共鳴箱を兼ねた２つの支持台を備え、これら２つの支持台の内部にそれぞれスピーカを設けると共に、これら２つの支持台を連結部材で連結することにより、楽器本体を支持するスタンドを構成している。
【０００３】
しかしながら、このような電子鍵盤楽器では、スタンドにスピーカを設けるために、スタンドの支持台が共鳴箱になるように形成する必要があり、このため支持台の横幅が大きくなり、楽器本体をコンパクトに構成した場合、演奏者の脚がスタンドの支持台にぶつかり易くなり、演奏の妨げになるという問題があるほか、スタンドにスピーカを設けているため、スピーカが常に楽器本体の下側に位置することになり、このためスピーカからの楽音が常に演奏者の下側から聞こえることになるので、演奏者に対するスピーカの指向性が悪いという問題もある。
【０００４】
なお、スピーカを楽器本体の操作面に上向きで設けた構造のものもあるが、このような構造では、楽器本体をコンパクトに構成すると、スピーカおよびその共鳴空間も小さくなるため、十分な音質および音量が得られないばかりか、スピーカが演奏者の方向を向いていないため、スピーカの指向性も悪いという問題がある。
【特許文献１】実用新案登録第３００６９７１号公報
【発明の開示】
【発明が解決しようとする課題】
【０００５】
この発明が解決しようとする問題点は、演奏者の邪魔にならずに、スピーカの共鳴空間を確保することができず、十分な音質および音量が得られないばかりか、スピーカの指向性も悪いことにある。
【課題を解決するための手段】
【０００６】
この発明は、上記課題を解決するために、次のような構成要素を備えている。
なお、各構成要素には、後述する各実施形態の項で説明される各要素に付されている図面の参照番号などを括弧と共に付す。
【０００７】
請求項１に記載の発明は、図１〜図２１に示すように、楽音信号を発生する楽音発生手段（鍵盤部４）を有する装置本体（楽器本体１）と、この装置本体の前記楽音発生手段によって発生された楽音信号に基づいて楽音を発生するためのスピーカユニット（２）とを備えた楽音発生装置において、前記スピーカユニットは、上下方向に長尺に形成された中空状のスピーカケース（６、２０、３０、３１、３３、３５、４０）と、このスピーカケース内に配置されたスピーカ（７）と、このスピーカに対応する個所を除く前記スピーカケースの外周面に設けられて前記スピーカと電気的に接続されたスピーカ電極部（８、３４、４８、または第１、第２スピーカ電極部２５、２６）とからなり、前記装置本体には、前記スピーカ電極部が設けられた個所に対応する前記スピーカケースの一部が挿入して取り付けられる取付孔（１０、３２）が前記装置本体の上下に貫通して設けられ、この取付孔の内周面には、前記楽音発生手段で発生された楽音信号を伝達するための本体側電極部（１１、４９）が前記スピーカユニットの前記スピーカ電極部と電気的に接続可能に設けられていることを特徴とする楽音発生装置である。
【０００８】
請求項２に記載の発明は、図１〜図１２、図１４に示すように、前記スピーカケース（６、２０、３０、３１、３５）が、その横断面形状を円形状に形成した形状であることを特徴する請求項１に記載の楽音発生装置である。
【０００９】
請求項３に記載の発明は、図１〜図９に示すように、前記スピーカケース（６、２０）の前記一部が前記装置本体（楽器本体１）の前記取付孔（１０）に挿入されて前記スピーカユニット（２）の前記スピーカ電極部（８）と前記装置本体の前記本体側電極部（１１）とが電気的に接続されたときに、前記スピーカケースを前記装置本体に係脱可能に係止するロック部材（１２、２３）を備えていることを特徴する請求項１または２に記載の楽音発生装置である。
【００１０】
請求項４に記載の発明は、図１〜図１２、図１４に示すように、前記スピーカユニット（２）の前記スピーカ電極部（８または第１、第２スピーカ電極部２５、２６）が、前記スピーカケース（６、２０、３０、３１、３５）の外周面に環状に設けられていることを特徴する請求項１〜３のいずれかに記載の楽音発生装置である。
【００１１】
請求項５に記載の発明は、図７〜図９に示すように、前記スピーカケース（２０）の外周面に、前記ロック部材（２３）によって係脱可能に係止される複数の係止部（第１〜第３係止溝２７〜２９）が前記スピーカ（７）の長手方向に沿って所定間隔で設けられ、前記スピーカケースの外周面に、前記スピーカ電極部（第１、第２スピーカ電極部２５、２６）が前記スピーカの長手方向に沿って所定間隔で複数設けられていることを特徴する請求項３または４に記載の楽音発生装置である。
【００１２】
請求項６に記載の発明は、図１５〜図２１に示すように、前記スピーカユニット（２）は、前記スピーカケース（４０）の前記一部を前記装置本体（楽器本体１）の前記取付孔（１０）に挿入して前記装置本体の下方に延出させた状態で取り付けることにより、前記スピーカケースが前記装置本体の脚部を兼ねていることを特徴する請求項１に記載の楽音発生装置である。
【発明の効果】
【００１３】
請求項１に記載の発明によれば、内部にスピーカを配置したスピーカケースの一部を装置本体の取付孔に挿入させて取り付けると、スピーカケースの外周面に設けられたスピーカ電極部と取付孔の内周面に設けられた本体側電極部とが電気的に接続されるので、装置本体の楽音発生手段で発生された楽音信号をスピーカに伝達してスピーカから楽音を発生させることができるほか、特にスピーカケースを上下方向に長尺に形成したので、スピーカケースの内部にスピーカの共鳴空間を十分に確保することができ、これにより音質および音量を高めることができると共に、スピーカケースの一部を装置本体の取付孔に挿入させて取り付けるときに、スピーカケース内に設けられたスピーカを装置本体の上方に位置させることにより、スピーカユニットが演奏者の邪魔にならずに、その内部のスピーカを演奏者に向け易くなるので、演奏者に対するスピーカの指向性をも確保することができる。
【００１４】
請求項２に記載の発明によれば、スピーカケースが、その横断面形状を円形状に形成した形状であることにより、スピーカケースが円筒形状または逆円錐形状に形成されることになり、このためスピーカケース内に共鳴空間を十分に確保してスピーカの音質および音量を高めることができるほか、特にスピーカケースを装置本体の取付孔に挿入させた状態で、スピーカケースを装置本体に対し回転させることができるので、スピーカケース内に設けられたスピーカの向きを自由に変えることができ、これにより演奏者に合った最適な向きにスピーカを向けることができると共に、第３者にスピーカを向ければ、第３者に楽音を良好に聞かせることもでき、このため使い勝手の良いものを得ることができる。
【００１５】
請求項３に記載の発明によれば、スピーカケースの一部が装置本体の取付孔に挿入されてスピーカユニットのスピーカ電極部と装置本体の本体側電極部とが電気的に接続されたときに、スピーカケースを装置本体に対し係脱可能に係止するロック部材を備えていることにより、このロック部材によってスピーカ電極部と本体側電極部とを電気的に接続した状態で、スピーカケースを装置本体の所定位置に確実に固定することができると共に、スピーカケースに対するロック部材によるロックを解除すると、装置本体からスピーカケースを取り外すことができるので、装置本体に対するスピーカケースの着脱作業が容易にできる。
【００１６】
請求項４に記載の発明によれば、スピーカユニットのスピーカ電極部がスピーカケースの外周面に環状に設けられていることにより、スピーカケースを回転させてスピーカの向きを変えても、常にスピーカ電極部と本体側電極部とを電気的に接続することができるので、装置本体に対しスピーカの向きを自由に変えても、装置本体の楽音発生手段で発生された楽音信号に基づいてスピーカから楽音を確実に且つ良好に発生させることができ、これによっても使い勝手の良いものを得ることができる。
【００１７】
請求項５に記載の発明によれば、スピーカケースの外周面に、ロック部材によって係脱可能に係止される複数の係止部がスピーカケースの長手方向に沿って所定間隔で設けられているので、スピーカケースの外周面に設けられた複数の係止部のいずれかをロック部材で係止することにより、装置本体に対するスピーカケースの高さを変えることができると共に、スピーカケースの外周面に複数のスピーカ電極部がスピーカケースの長手方向に沿って所定間隔で設けられているので、スピーカケースの高さを変えても、スピーカ電極部と本体側電極部とを電気的に接続することができ、これにより演奏者に合った最適な高さにスピーカを設置して良好に使用することができ、これによっても使い勝手が良いものを得ることができる。
【００１８】
請求項６に記載の発明によれば、スピーカユニットのスピーカケースの一部を装置本体の取付孔に挿入して装置本体の下方に延出させた状態で取り付けることにより、スピーカケースが装置本体の脚部を兼ねるので、このスピーカケースを装置本体のスタンドとして使用することができ、これにより部品コストを下げることができるほか、スピーカケースがスタンドの脚部を兼ねていることにより、スピーカケースが上下方向に長く形成されるため、スピーカケースの容積を、より一層、大きくすることができ、これにより大容積の共鳴空間を形成することができるので、請求項１に記載の発明のものよりも、より一層、スピーカの音質および音量を高めることができる。
【発明を実施するための最良の形態】
【００１９】
（実施形態１）
以下、図１〜図３を参照して、この発明を電子鍵盤楽器に適用した実施形態１について説明する。
図１はこの発明の電子鍵盤楽器の斜視図、図２は図１の楽器本体とスピーカユニットとを分解した斜視図、図３は図２の拡大断面図である。
この電子鍵盤楽器は、図１および図２に示すように、楽器本体１と、この楽器本体１に取り付けられるスピーカユニット２と、楽器本体１を支持するスタンド３とを備えている。
【００２０】
楽器本体１は、楽音信号を発生する鍵盤部４を備えている。この鍵盤部４は、多数の白鍵４ａおよび黒鍵４ｂを音階順に配列し、これら各鍵４ａ、４ｂの押鍵操作に応じて楽音信号を出力するように構成されている。スタンド３は、楽器本体１の下面におけるほぼ４隅にそれぞれ設けられた４本の脚部５からなり、これら脚部５によって楽器本体１を支持するように構成されている。スピーカユニット２は、図１および図２に示すように、上下方向に長尺に形成された円筒状のスピーカケース６と、このスピーカケース６内に配置されたスピーカ７と、スピーカケース６の外周面に設けられた一対のスピーカ電極部８とを備えている。
【００２１】
この場合、スピーカケース６は、図２および図３に示すように、楽器本体１の上下方向の厚みよりも十分に長く形成されていると共に、その下部側が上部側よりも少し大きい大径部６ａに形成されている。このスピーカケース６の上部側の内部には、図３に示すように、スピーカ７が配置されており、このスピーカ７が配置された部分よりも下側で且つ大径部６ａよりも上側に位置する個所のスピーカケース６の外周面には、図２および図３に示すように、一対のスピーカ電極部８がそれぞれ環状に設けられている。これら一対のスピーカ電極部８とスピーカ７とは、接続配線９によって電気的に接続されている。
【００２２】
このスピーカユニット２は、図１〜図３に示すように、スピーカケース６の上部側が楽器本体１に設けられた取付孔１０に挿入して取り付けられるように構成されている。すなわち、楽器本体１における鍵盤部４の両側奥部（図３では左側）には、スピーカケース６の上部側が挿入する取付孔１０が楽器本体１の上下に貫通して設けられている。この取付孔１０の内周面には、図３に示すように、スピーカケース６が取付孔１０に下側から挿入されたときに、スピーカケース６のスピーカ電極部８が接触して電気的に接続される本体側電極部１１が設けられている。この本体側電極部１１は、鍵盤部４の電子回路（図示せず）と電気的に接続され、これにより鍵盤部４で発生した楽音信号をスピーカ電極部８および接続配線９を介してスピーカ７に与えるように構成されている。
【００２３】
また、このスピーカユニット２は、図２および図３に示すように、楽器本体１からスピーカケース６が脱落するのを防ぐためのロック部材１２を備えている。すなわち、このロック部材１２は、スピーカケース６の外周面に弾性的に出没可能に設けた弾性フック部であり、スピーカケース６が楽器本体１の取付孔１０に下側から挿入するときに、弾性変形して取付孔１０内を挿通し、スピーカ電極部８と本体側電極部１１とが接触してスピーカケース６が楽器本体１の上面側に突出した状態のときに、スピーカケース６の外周面から外側に向けて弾性的に突出して楽器本体１の取付孔１０における縁部の上面に当接することにより、スピーカケース６を楽器本体１に対し係止するように構成されている。なお、このロック部材１２は、外部から押圧されて弾性変形すると、楽器本体１に対するスピーカケース６のロックを解除するように構成されている。
【００２４】
このような電子鍵盤楽器では、内部にスピーカ７を配置したスピーカケース６を楽器本体１の取付孔１０に下側から挿入させてスピーカケース６の上部側を楽器本体１の上方に突出させると、スピーカケース６の外周面に設けられたロック部材１２が楽器本体１の上面側に位置して弾性的に突出するので、この突出したロック部材１２が楽器本体１の取付孔１０における縁部の上面に当接し、これによりスピーカケース６が楽器本体１から脱落しないように係止してスピーカケース６を楽器本体１に対し確実に固定することができる。このときには、スピーカケース６の外周面に設けられたスピーカ電極部８と取付孔１０の内周面に設けられた本体側電極部１１とが互いに接触して電気的に接続されるので、楽器本体１の鍵盤部４における押鍵操作に応じた楽音信号によって、スピーカ７から楽音を発生させることができる。
【００２５】
この場合には、スピーカケース６が円筒状で上下方向に長尺に形成されているので、このスピーカケース６によってスピーカ７の共鳴空間を確保することができる。特に、スピーカケース６の下部側が大径部６ａに形成されているので、これによってもスピーカ７の共鳴空間を十分に確保することができ、これによりスピーカ７で発生した音の音質および音量を高めることができる。また、スピーカケース６を楽器本体１の取付孔１０に挿入させて取り付けたときに、スピーカケース６内に設けられたスピーカ７が楽器本体１の上方に位置することになるので、スピーカユニット２が演奏者の邪魔になることがなく、しかもスピーカケース６を取付孔１０に取り付けた状態で回転させてスピーカ７を演奏者に向けることができ、これにより演奏者に対するスピーカの指向性をも確保することができる。
【００２６】
このときには、スピーカユニット２のスピーカ電極部８がスピーカケース６の外周面に環状に設けられているので、スピーカケース６を楽器本体１の取付孔１０に挿入させた状態で回転させても、スピーカ電極部８と本体側電極部１１とを常に電気的に接続させることができる。このため、楽器本体１に対するスピーカケース６の向きを自由に変更することができるので、演奏者に合った最適な向きにスピーカ７を向けることができるほか、第３者にスピーカ７を向けることがもでき、これにより第３者に楽音を良好に聞かせることもできるので、極めて使い勝手の良いものを得ることができる。
【００２７】
また、この電子鍵盤楽器では、楽器本体１の上面に位置したロック部材１２を外部から押圧して弾性変形させることにより、楽器本体１に対するスピーカケース６のロックを解除することができるので、簡単にスピーカケース６を楽器本体１の取付孔１０から取り外すことができる。また、この取り外したスピーカケース６を上下反転させ、この状態でスピーカケース６を楽器本体１の上方から取付孔１０に挿入させることにより、スピーカ７を楽器本体１の下側に配置させることもできる。このときには、スピーカケース６の大径部６ａが楽器本体１の取付孔１０の縁部に当接して楽器本体１に固定されると共に、スピーカ電極部８と本体側電極部１１とが互いに接触して電気的に接続されるので、上記と同様、スピーカ７から楽音を良好に放音することができる。
【００２８】
（実施形態２）
次に、図４〜図６を参照して、この発明を電子鍵盤楽器に適用した実施形態２について説明する。なお、図１〜図３に示された実施形態１と同一部分には同一符号を付して説明する。
この電子鍵盤楽器は、スピーカケース２０の外周面に一対のスピーカ電極部８のほかに第１、第２係止溝２１、２２を設け、且つ楽器本体１にロック部材２３を設けた構造で、これ以外は実施形態１とほぼ同じ構造になっている。
【００２９】
この場合、スピーカケース２０は、図５に示すように、上部から下部に亘って同じ外径の円筒状で、且つ楽器本体１の上下方向の厚みよりも十分に長く形成されている。このスピーカケース２０の上部側における内部には、図６に示すように、スピーカ７が配置されている。また、このスピーカケース２０の下部側における外周面には、一対のスピーカ電極部８が環状に形成されている。これら一対のスピーカ電極部８は、実施形態１と同様、接続配線９によってそれぞれスピーカ７と電気的に接続され、スピーカケース２０の下部が楽器本体１の取付孔１０に挿入されたときに、取付孔１０の本体側電極部１１に接触して電気的に接続されるように構成されている。
【００３０】
また、スピーカケース２０の外周面に設けられた第１、第２係止溝２１、２２のうち、第１係止溝２１は、図６に示すように、スピーカケース２０の外周面におけるスピーカ電極部８の上側に位置する個所に環状に設けられ、スピーカケース２０を楽器本体１の取付孔１０に上方から挿入させて、その内部のスピーカ７を楽器本体１の上方に位置させた状態のときに、ロック部材２３で係止されるように構成されている。第２係止溝２２は、スピーカケース２０の外周面におけるスピーカ電極部８の下側に位置する個所に環状に設けられ、スピーカケース２０を上下反転させて楽器本体１の取付孔１０に下側から挿入し、その内部のスピーカ７を楽器本体１の下方に位置させた状態のときに、ロック部材２３で係止されるように構成されている。
【００３１】
一方、ロック部材２３は、図６に示すように、ほぼＬ字状に形成され、その上端部２３ａが楽器本体１の上面における取付孔１０の近傍に位置し、その下部先端２３ｂが取付孔１０内に出没する方向にスライドするように配置されている。すなわち、このロック部材２３は、上端部２３ａを取付孔１０から離れる方向にスライドさせると、下部先端２３ｂが取付孔１０内から外部に移動し、取付孔１０内にスピーカケース２０を挿入可能な状態にし、且つスピーカケース２０が取付孔１０に挿入されて所定位置に配置されたときに、上端部２３ａを取付孔１０に向けてスライドさせると、下部先端２３ｂが取付孔１０内に向けて移動してスピーカケース２０の第１、第２係止溝２１、２２のいずれかに挿入することにより、スピーカケース２０を楽器本体１に対し係脱可能にロックするように構成されている。
【００３２】
このような電子鍵盤楽器においても、実施形態１と同様の作用効果があるほか、特に楽器本体１に設けられたロック部材２３によってスピーカケース２０を楽器本体１に対し着脱可能にロックすることができる。すなわち、ロック部材２３の上端部２３ａを取付孔１０から離れる方向にスライドさせて下部先端２３ｂを取付孔１０の外部に移動させることにより、スピーカケース２０を取付孔１０に挿入させることができ、逆にロック部材２３の上端部２３ａを取付孔１０に向けてスライドさせて下部先端２３ｂを取付孔１０の内部に移動させることにより、スピーカケース２０の第１、第２係止溝２１、２２のいずれかを係止することができる。
【００３３】
すなわち、図５に示すように、スピーカケース２０を楽器本体１の上方から取付孔１０に挿入し、図４に示すように、スピーカケース２０を所定位置に配置させてスピーカ電極部８と本体側電極部１１とを電気的に接続させたときに、ロック部材２３の上端部２３ａを取付孔１０に向けてスライドさせると、ロック部材２３の下部先端２３ｂがスピーカケース２０の第１係止溝２１に挿入してスピーカケース２０を係止することができる。このときには、スピーカケース２０が楽器本体１の上方に突出し、その内部に配置されたスピーカ７が楽器本体１の上方に配置される。
【００３４】
また、ロック部材２３の上端部２３ａを取付孔１０から離れる方向にスライドさせた状態で、スピーカケース２０を上下反転させて楽器本体１の下方から取付孔１０に挿入させ、この上下反転したスピーカケース２０を所定位置に配置させてスピーカ電極部８と本体側電極部１１とを電気的に接続させたときに、ロック部材２３の上端部２３ａを取付孔１０に向けてスライドさせると、ロック部材２３の下部先端２３ｂがスピーカケース２０の第２係止溝２２に挿入してスピーカケース２０を係止することができる。このときには、スピーカケース２０が楽器本体１の下方に突出し、その内部に配置されたスピーカ７が楽器本体１の下方に配置される。
【００３５】
このように、この電子鍵盤楽器によれば、スピーカケース２０の外周面に第１、第２係止溝２１、２２を環状に設けると共に、楽器本体１にロック部材２３を設け、このロック部材２３で第１、第２係止溝２１、２２のいずれか一方を係脱可能に係止するように構成したので、スピーカケース２０のスピーカ電極部８と本体側電極部１１とを電気的に接続させた状態で、ロック部材２３によってスピーカケース２０を楽器本体１の所定位置に確実に固定することができ、またスピーカケース２０に対するロック部材２３によるロックを解除すると、楽器本体１からスピーカケース２０を取り外すことができるので、楽器本体１に対するスピーカケース２０の着脱作業が容易にできる。
【００３６】
この場合にも、一対のスピーカ電極部８がスピーカケース２０の外周面に環状に設けられていると共に、第１、第２係止溝２１、２２もスピーカケース２０の外周面に環状に設けられているので、スピーカケース２０を取付孔１０に挿入させてロック部材２３で第１、第２係止溝２１、２２のいずれかを係止した状態でも、スピーカケース２０を回転させることができると共に、スピーカケース２０を回転させても、スピーカ電極部８と本体側電極部１１とを常に電気的に接続することができる。このため、スピーカケース２０を自由に回転させてスピーカ７の向きを自由に変えることができ、これにより演奏者に合った最適な向きにスピーカ７を向けることができる。
【００３７】
（実施形態３）
次に、図７〜図９を参照して、この発明を電子鍵盤楽器に適用した実施形態３について説明する。この場合には、図４〜図６に示された実施形態２と同一部分に同一符号を付して説明する。
この電子鍵盤楽器は、スピーカケース２０の外周面に第１、第２スピーカ電極部２５、２６を設けると共に第１〜第３係止溝２７〜２９をも設け、これら第１〜第３係止溝２７〜２９のいずかを楽器本体１に設けられたロック部材２３で係脱可能に係止する構造で、これ以外は実施形態２とほぼ同じ構造になっている。
【００３８】
すなわち、第１、第２スピーカ電極部２５、２６は、それぞれ一対の電極からなり、スピーカケース２０の下部側における外周面に所定間隔を隔て環状に設けられていると共に、図７に示すように接続配線９によってそれぞれスピーカ７と電気的に接続されている。この場合、第１、第２スピーカ電極部２５、２６は、スピーカケース２０の下部側が楽器本体１の取付孔１０に挿入されたときに、第１、第２スピーカ電極部２５、２６のいずれか一方が取付孔１０の内面に設けられた本体側電極部１１に接触して電気的に接続されるように構成されている。
【００３９】
また、第１〜第３係止溝２７〜２９のうち、第１係止溝２７は、図７に示すように、スピーカケース２０の外周面における第１スピーカ電極部２５の上側に位置する個所に環状に設けられている。第２係止溝２８は、スピーカケース２０の外周面における第１、第２スピーカ電極部２５、２６の間に位置する個所に環状に設けられている。第３係止溝２９は、スピーカケース２０の外周面における第２スピーカ電極部２６の下側に位置する個所に環状に設けられている。
【００４０】
この場合、第１係止溝２７は、スピーカケース２０の下部側が楽器本体１の取付孔１０に上方から挿入されて第１スピーカ電極部２５が取付孔１０の本体側電極部１１と接触して電気的に接続された状態のときに、ロック部材２３によって係脱可能に係止されるように構成されている。第３係止溝２９は、スピーカケース２０を上下反転させ、この状態のスピーカケース２０が楽器本体１の取付孔１０に下側から挿入されて第２スピーカ電極部２６が取付孔１０の本体側電極部１１と接触して電気的に接続された状態のときに、ロック部材２３によって係脱可能に係止されるように構成されている。
【００４１】
また、第２係止溝２８は、スピーカケース２０の下部側が楽器本体１の取付孔１０に上方から挿入されて第２スピーカ電極部２６が取付孔１０の本体側電極部１１と接触して電気的に接続された状態のとき、またはスピーカケース２０が上下反転されて楽器本体１の取付孔１０に下側から挿入されて第１スピーカ電極部２５が取付孔１０の本体側電極部１１と接触して電気的に接続された状態のときに、ロック部材２３によって係脱可能に係止され、これにより楽器本体１に対するスピーカケース２０の高さが変わるように構成されている。
【００４２】
このような電子鍵盤楽器においても、実施形態２と同様の作用効果があるほか、特にスピーカケース２０の外周面に、ロック部材２３によって係脱可能に係止される第１〜第３係止部２７〜２９をスピーカケース２０の長手方向に沿って所定間隔で設けたので、スピーカケース２０の外周面に設けられた第１〜第３係止溝２７〜２９のいずれかをロック部材２３で係止することにより、楽器本体１に対するスピーカケース２０の高さを変えることができる。
【００４３】
この場合、スピーカケース２０の外周面にその長手方向に沿って第１、第２スピーカ電極部２５、２６を所定間隔で設けているので、スピーカケース２０の高さを変えても、第１、第２スピーカ電極部２５、２６の一方を取付孔１０の本体側電極部１１と電気的に接続することができ、これにより演奏者に合った最適な高さにスピーカ７を設置することができると共に、この状態でスピーカケース２０を回転させてスピーカ７の向きをも変えることができ、これにより演奏者に合った最適な位置にスピーカ７を設置することができるので、良好に使用することができ、より一層、使い勝手の良いものを得ることができる。
【００４４】
（実施形態４）
次に、図１０および図１１を参照して、この発明を電子鍵盤楽器に適用した実施形態４について説明する。この場合には、図１〜図３に示された実施形態１と同一部分に同一符号を付して説明する。
この電子鍵盤楽器は、スピーカケース３０が実施形態１と異なる形状で、これ以外は実施形態１とほぼ同じ構造になっている。すなわち、このスピーカケース３０は、上部側が大径部３０ａに形成された円筒形状に形成され、この上部側の大径部３０ａ内にスピーカ７が配置され、下部側の外周面に本体側電極部１１と接触する一対のスピーカ電極部８が環状に形成され、これら一対のスピーカ電極部８とスピーカ７とが接続配線９によって電気的に接続された構成になっている。
【００４５】
このような電子鍵盤楽器では、実施形態１とほぼ同様の作用効果があるほか、特に円筒形状のスピーカケース３０の上部側に大径部３０ａを設けたので、スピーカケース３０の下部側を楽器本体１の取付孔１０にその上方から挿入させると、スピーカケース３０の上部側の大径部３０ａが取付孔１０の縁部に当接することにより、スピーカケース３０を楽器本体１に保持することができ、このため上述した実施形態１〜３で述べたロック部材１２、２３が不要となるので、部品点数を削減することができ、これにより低価格なものを得ることができる。
【００４６】
なお、上記実施形態４では、スピーカケース３０を円筒形状に形成して、その上部側に大径部３０ａを設けた場合について述べたが、これに限らず、例えば図１２に示す変形例１のように、スピーカケース３１の上部側を円筒形状に形成すると共に、その下部側を逆円錐形状に形成し、この逆円錐形状の外周面に一対のスピーカ電極部８を設けた構造でも良い。この場合には、楽器本体１の取付孔３２を逆円錐形状に形成し、その内周面に本体側電極部１１を設ければ良い。
【００４７】
このような構造でも、スピーカケース３１の下部側を取付孔３２に上方から挿入させることにより、実施形態４と同様、ロック部材２３を用いなくても、スピーカケース３１を楽器本体１に保持することができるほか、スピーカケース３１および取付孔３２の各横断面形状が円形状をなすので、スピーカケース３１の逆円錐形状の下部側を取付孔３２に挿入させた状態でスピーカケース３１を回転させることができるので、これによっても上述した実施形態１〜４と同様の作用効果がある。
【００４８】
また、上記実施形態４では、スピーカケース３０を円筒形状に形成した場合について述べたが、これに限らず、例えば図１３に示す変形例２のように、スピーカケース３３を横断面形状がほぼ正四角形をなす角筒形状に形成すると共に、その上部側の外形を下部側よりも大きく形成し、この外形の大きい上部側の内部にスピーカ７を配置し、下部側の外周側における各側面にそれぞれ一対のスピーカ電極部３４を設けた構造でも良い。この場合には、楽器本体１の取付孔１０を四角形状の角孔に形成し、その内面の所定個所に本体側電極部１１を設ければ良い。
【００４９】
このような構造でも、スピーカケース３３の下部側を取付孔１０に上方から挿入させることにより、実施形態４と同様、ロック部材２３を用いなくても、スピーカケース３３を楽器本体１に保持することができるほか、スピーカケース３３を取付孔１０から抜き出して向きを変えて差し替えることにより、スピーカ７の向きを９０°ごとに変えることができるので、これによっても上述した実施形態１〜４とほぼ同様の作用効果がある。
【００５０】
さらに、上記変形例２では、スピーカケース３３の全体を角筒形状に形成した場合について述べたが、これに限らず、例えば図１４に示す変形例３のように、スピーカケース３５の上部側を横断面形状がほぼ正四角形をなす角筒形状に形成し、この上部側の角筒形状の内部にスピーカ７を配置し、下部側を上部側よりも外形の小さい円筒形状に形成し、この円筒形状の外周面に一対のスピーカ電極部８を環状に設けた構造でも良い。
【００５１】
このような構造でも、角筒形状の上部側と円筒形状の下部側との両方によってスピーカ７の共鳴空間を形成することができるので、実施形態１〜４と同様、音質および音量を高めることができるほか、スピーカケース３５の下部側を取付孔１０に上方から挿入させることにより、スピーカケース３５を楽器本体１に保持することができると共に、スピーカケース３５の下部側を取付孔１０に挿入させた状態でスピーカケース３５を回転させることができるので、上述した実施形態１〜４と同様の作用効果がある。
【００５２】
（実施形態５）
次に、図１５〜図２１を参照して、この発明を電子鍵盤楽器に適用した実施形態５について説明する。この場合にも、図１〜図３に示された実施形態１と同一部分には同一符号を付して説明する。
この電子鍵盤楽器は、図１５および図１６に示すように、スピーカユニット２のスピーカケース４０を楽器本体１の取付孔１０に挿入させると共に楽器本体１の下方に延出させることにより、このスピーカケース４０が楽器本体１のスタンド４１の脚部をも兼ねる構造で、これ以外は実施形態１とほぼ同じ構造になっている。
【００５３】
すなわち、スタンド４１は、図１６に示すように、左右一対のスピーカケース４０と、このスピーカケース４０の手前側に配置される一対の前側脚部４２とを備えている。この場合、一対のスピーカケース４０は、円筒形状に形成され、その長さが前側脚部４２よりも長く、且つ外径も前側脚部４２よりも太く形成されている。また、左側に位置するスピーカケース４０とその前側脚部４２とは、左側に位置する底板部４３上に立設されており、右側に位置するスピーカケース４０とその前側脚部４２とは、右側に位置する底板部４３上に立設されている。これにより、左右一対のスピーカケース４０は、その各上部が一対の前側脚部４２よりも上方に高く位置するように構成されている。
【００５４】
また、このスタンド４１は、左右の底板部４３が下部連結板４５によって連結され、左側に位置するスピーカケース４０とその前側脚部４２、および右側に位置するスピーカケース４０とその前側脚部４２が、各上部側において側部連結板４６によってそれぞれ連結され、一対のスピーカケース４０も、その上部側において上部連結板４７によって連結された構成になっている。これにより、スタンド４１は、楽器本体１の左右の取付孔１０に一対のスピーカケース４０の上部側を下側から挿入させると、図１５に示すように、一対のスピーカケース４０の各上部が楽器本体１の上方に突出した状態で、楽器本体１の下面が一対の前側脚部４２上に配置され、これにより楽器本体１を支持するように構成されている。
【００５５】
ところで、楽器本体１の上方に突出するスピーカケース４０の上側内部には、図１７および図１８に示すように、スピーカ７が配置されている。また、楽器本体１の取付孔１０内に挿入して位置する個所のスピーカケース４０の外周面には、一対のスピーカ電極部４８が円周方向に並んで設けられている。これら一対のスピーカ電極部４８とスピーカ７とは、実施形態１と同様、接続配線９によって電気的に接続されている。また、楽器本体１の取付孔１０の内面には、図１９に示すように、スピーカケース４０が楽器本体１の取付孔１０に挿入されたときに、一対のスピーカ電極部４８が接触して電気的に接続される一対の本体側電極部４９が設けられている。
【００５６】
これら一対の本体側電極部４９は、図２０および図２１に示すように、取付孔１０の内面に埋め込まれた状態で、弾性片４９ａが取付孔１０内に弾力的に突出し、この突出した弾性片４９ａがスピーカケース４０のスピーカ電極部４８に弾接するように構成されている。また、これら一対の本体側電極部４９は、図２０および図２１に示すように、接続配線５０によって楽器本体１の鍵盤部４の電子回路（図示せず）と電気的に接続され、これにより鍵盤部４で発生した楽音信号をスピーカ電極部４８を介してスピーカ７に与えるように構成されている。
【００５７】
このような電子鍵盤楽器によれば、実施形態１とほぼ同様の作用効果があるほか、特にスピーカケース４０が楽器本体１の下方に延出して、スピーカケース４０が楽器本体１のスタンド４１の脚部を兼ねているので、スピーカケース４０を楽器本体１の取付孔１０に下側から挿入させて、スピーカケース４０の上部側を楽器本体１の上方に突出させると、楽器本体１をスタンド４１の左右一対の前側脚部４２および一対のスピーカケース４０によって支持することができる。
【００５８】
このため、スピーカケース４０を楽器本体１のスタンド４１としても使用することができるので、部品コストを下げることができると共に、スピーカケース４０がスタンド４１の脚部を兼ねているので、スピーカケース４０を上下方向に長く形成することができ、これによりスピーカケース４０の容積を、実施形態１よりも、より一層、大きくすることができ、このため大容積の共鳴空間を形成することができるので、スピーカ７の音質および音量を更に高めることができる。
【００５９】
なお、上記実施形態１〜５およびその変形例では、電子鍵盤楽器について述べたが、これに限らず、楽音信号を発生する楽音発生手段を有する楽音発生装置に広く適用することができる。
【図面の簡単な説明】
【００６０】
【図１】この発明を電子鍵盤楽器に適用した斜視図である。（実施形態１）
【図２】図１の楽器本体とスピーカユニットとを分解した斜視図である。
【図３】図２の拡大断面図である。
【図４】この発明を電子鍵盤楽器に適用した斜視図である。（実施形態２）
【図５】図４の楽器本体とスピーカユニットとを分解した斜視図である。
【図６】図５の要部を示した拡大断面図である。
【図７】この発明を電子鍵盤楽器に適用した要部の拡大断面図である。（実施形態３）
【図８】図８の楽器本体にスピーカユニットを取り付けた第１状態を示した斜視図である。
【図９】図８の楽器本体にスピーカユニットを高さを変えて取り付けた第２状態を示した斜視図である。
【図１０】この発明を電子鍵盤楽器に適用したスピーカユニットの正面図である。（実施形態４）
【図１１】図１０のスピーカユニットと楽器本体とを分解した拡大断面図である。
【図１２】形状の異なるスピーカユニットと楽器本体とを分解した拡大断面図である。（変形例１）
【図１３】形状の異なるスピーカユニットを示した斜視図である。（変形例２）
【図１４】形状の異なるスピーカユニットを示した斜視図である。（変形例３）
【図１５】この発明を電子鍵盤楽器に適用した斜視図である。（実施形態５）
【図１６】図１５の楽器本体とスタンドとを分解した斜視図である。
【図１７】図１６のスピーカユニットの要部を示した正面図である。
【図１８】図１７の断面図である。
【図１９】図１６の楽器本体を示した拡大断面図である。
【図２０】図１９の取付孔を示した拡大断面図である。
【図２１】図２０のロック部材を示した拡大断面図である。
【符号の説明】
【００６１】
１  楽器本体
２  スピーカユニット
３、４１  スタンド
６、２０、３０、３１、３３、３５、４０  スピーカケース
７  スピーカ
８、３４、４８  スピーカ電極部
９  接続配線
１０、３２  取付孔
１１、４９  本体側電極部
１２、２３  ロック部材
２１、２２  第１、第２係止溝
２５、２６  第１、第２スピーカ電極部
２７〜２９  第１〜第３係止溝
【図１】
2005123848.tif 000003
【図２】
2005123848.tif 000004
【図３】
2005123848.tif 000005
【図４】
2005123848.tif 000006
【図５】
2005123848.tif 000007
【図６】
2005123848.tif 000008
【図７】
2005123848.tif 000009
【図８】
2005123848.tif 000010
【図９】
2005123848.tif 000011
【図１０】
2005123848.tif 000012
【図１１】
2005123848.tif 000013
【図１２】
2005123848.tif 000014
【図１３】
2005123848.tif 000015
【図１４】
2005123848.tif 000016
【図１５】
2005123848.tif 000017
【図１６】
2005123848.tif 000018
【図１７】
2005123848.tif 000019
【図１８】
2005123848.tif 000020
【図１９】
2005123848.tif 000021
【図２０】
2005123848.tif 000022
【図２１】
2005123848.tif 000023